(57)【要約】【課題】本発明は、操作キーの少ない端末装置から個人情報を入力することなく、端末装置の認証を行うことができる認証システムおよび認証方法を提供することを課題とする。【解決手段】認証サーバ３０の仮登録情報作成部３３は、端末装置４０からリクエストを受信すると、固有のシリアルＩＤと固有の仮ＩＤとを含む仮登録情報を作成し、作成した仮登録情報を情報記録部３１に記録しておくと共に、シリアルＩＤを記録したクッキーと仮ＩＤとを端末装置４０に送信し、さらに、機器登録部３５は、仮ＩＤを含む決済情報を受信すると、仮ＩＤに対応するシリアルＩＤを含む端末認証情報を作成して情報記録部３１に記録し、端末装置４０は、認証サーバ３０から受信した仮ＩＤを表示部４３に表示し、認証サーバ３０から受信したクッキーをクッキー記録部４２２に記録しておき、認証サーバ３０に対してリクエストと共に送信する。【選択図】        図１
2008027113.tif 000002
【特許請求の範囲】
【請求項１】
認証サーバを用いてネットワークに接続された端末装置の認証を行う認証システムであって、
前記認証サーバは、前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信する仮登録情報作成手段と、
該仮登録情報作成手段によって作成された前記仮登録情報を記録する情報記録手段と、
前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して前記情報記録手段に記録させる機器登録手段とを具備し、
前記端末装置は、前記認証サーバから受信した前記仮ＩＤを表示する表示手段と、
前記認証サーバから受信した前記クッキーを記録するクッキー記録手段と、
前記認証サーバに対してリクエストと共に、前記クッキー記録手段に記録されている前記クッキーを送信するデータ手段とを具備することを特徴とする認証システム。
【請求項２】
前記認証サーバは、リクエストを前記端末装置から受信すると、リクエストに前記シリアルＩＤが前記クッキーとして付加されているか否かを判断し、リクエストに前記シリアルＩＤが付加されていない場合に、リダイレクト先として前記仮登録情報作成手段を指定する応答を前記端末装置に送信する前記リクエスト応答手段を具備することを特徴とする請求項１記載の認証システム。
【請求項３】
前記機器登録手段は、有効期限を含む前記端末認証情報を作成することを特徴とする請求項１又は２記載の認証システム。
【請求項４】
ネットワークを介して接続された端末装置の認証を行う認証サーバであって、
前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信する仮登録情報作成手段と、
該仮登録情報作成手段によって作成された前記仮登録情報を記録する情報記録手段と、
前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して前記情報記録手段に記録させる機器登録手段とを具備することを特徴とする認証サーバ。
【請求項５】
リクエストを前記端末装置から受信すると、リクエストに前記シリアルＩＤが前記クッキーとして付加されているか否かを判断し、リクエストに前記シリアルＩＤが付加されていない場合に、リダイレクト先として前記仮登録情報作成手段を指定する応答を前記端末装置に送信する前記リクエスト応答手段を具備することを特徴とする請求項４記載の認証サーバ。
【請求項６】
前記機器登録手段は、有効期限を含む前記端末認証情報を作成することを特徴とする請求項４又は５記載の認証サーバ。
【請求項７】
端末装置のネットワーク経由での認証を認証サーバによって行う認証方法であって、
前記認証サーバは、前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信し、
該作成した前記仮登録情報を記録しておき、
前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して記録し、
前記端末装置は、前記認証サーバから受信した前記仮ＩＤを表示し、
前記認証サーバから受信した前記クッキーを記録しておき、
前記認証サーバに対してリクエストと共に、前記記録している前記クッキーを送信することを特徴とする認証方法。
【請求項８】
有効期限を含む前記端末認証情報を作成することを特徴とする請求項７記載の認証方法。
【発明の詳細な説明】
【技術分野】
【０００１】
本発明は、端末装置の認証を行う認証システムおよび認証方法に関する。
【背景技術】
【０００２】
近年、インターネット等のネットワーク環境が整備され、音声データ、画像データ、映像データ等のコンテンツをインチーネット等のネットワーク経由でユーザ所有の端末装置に提供されることが多くなってきており、有料でコンテンツを提供する場合には、ユーザＩＤやパスワード等の入力によってユーザの認証を行うのが一般的である。
【０００３】
ユーザＩＤやパスワードの発行に際しては、住所や、電話番号、カード番号等の個人情報を登録する必要があるが、サービス提供会社が異なる毎に、個人情報を登録しなければならないため、操作が煩雑になってしまう。そこで、ユーザに関する個人情報を蓄積するユーザデータベースを有する認証サーバをネットワーク上に設け、個人情報の登録の代わりに認証サーバが発行するユニバーサルＩＤを用いることで、ネットワークを介して商品の購入や、サービスの提供を受ける際に必要とされる個人情報の入力操作を簡略化することができるシステムが提案されている（例えば、特許文献１参照）。
【０００４】
しかしながら、従来技術では、ユニバーサルＩＤを入力することにより、住所や、電話番号、カード番号等の個人情報をその都度入力する必要がなくなるが、認証サーバに個人情報を登録する際には、依然として端末装置から住所や、電話番号、カード番号等の個人情報を入力しなければならず、操作キーの少ない端末装置では、操作が煩雑になってしまうという問題点があった。
【特許文献１】特開２００１−２４４９２７号公報
【発明の開示】
【発明が解決しようとする課題】
【０００５】
本発明は斯かる問題点に鑑みてなされたものであり、その目的とするところは、操作キーの少ない端末装置から住所や、電話番号、カード番号等の個人情報を入力することなく、端末装置の認証を行うことができる認証システムおよび認証方法を提供する点にある。
【課題を解決するための手段】
【０００６】
本発明は上記課題を解決すべく、以下に掲げる構成とした。
本発明の認証システムは、認証サーバを用いてネットワークに接続された端末装置の認証を行う認証システムであって、前記認証サーバは、前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信する仮登録情報作成手段と、該仮登録情報作成手段によって作成された前記仮登録情報を記録する情報記録手段と、前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して前記情報記録手段に記録させる機器登録手段とを具備し、前記端末装置は、前記認証サーバから受信した前記仮ＩＤを表示する表示手段と、前記認証サーバから受信した前記クッキーを記録するクッキー記録手段と、前記認証サーバに対してリクエストと共に、前記クッキー記録手段に記録されている前記クッキーを送信するデータ手段とを具備することを特徴とする。
【０００７】
さらに、本発明の認証システムは、前記認証サーバは、リクエストを前記端末装置から受信すると、リクエストに前記シリアルＩＤが前記クッキーとして付加されているか否かを判断し、リクエストに前記シリアルＩＤが付加されていない場合に、リダイレクト先として前記仮登録情報作成手段を指定する応答を前記端末装置に送信する前記リクエスト応答手段を具備することを特徴とする。
【０００８】
さらに、本発明の認証システムは、前記機器登録手段は、有効期限を含む前記端末認証情報を作成することを特徴とする。
【０００９】
また、本発明の認証サーバは、ネットワークを介して接続された端末装置の認証を行う認証サーバであって、前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信する仮登録情報作成手段と、該仮登録情報作成手段によって作成された前記仮登録情報を記録する情報記録手段と、前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して前記情報記録手段に記録させる機器登録手段とを具備することを特徴とする。
【００１０】
さらに、本発明の認証サーバは、リクエストを前記端末装置から受信すると、リクエストに前記シリアルＩＤが前記クッキーとして付加されているか否かを判断し、リクエストに前記シリアルＩＤが付加されていない場合に、リダイレクト先として前記仮登録情報作成手段を指定する応答を前記端末装置に送信する前記リクエスト応答手段を具備することを特徴とする。
【００１１】
さらに、本発明の認証サーバは、前記機器登録手段は、有効期限を含む前記端末認証情報を作成することを特徴とする。
【００１２】
また、本発明の認証方法は、端末装置のネットワーク経由での認証を認証サーバによって行う認証方法であって、前記認証サーバは、前記端末装置からリクエストを受信すると、固有のシリアルＩＤと固有の仮ＩＤとを生成し、前記シリアルＩＤと前記仮ＩＤとを含む仮登録情報を作成すると共に、前記シリアルＩＤを記録したクッキーと前記仮ＩＤとを前記端末装置に送信し、該作成した前記仮登録情報を記録しておき、前記仮ＩＤを含む決済情報を受信すると、受信した前記決済情報に含まれる前記仮ＩＤに対応する前記シリアルＩＤを前記情報記録手段に記録された前記仮登録情報を参照することで特定し、特定した前記シリアルＩＤを含む端末認証情報を作成して記録し、前記端末装置は、前記認証サーバから受信した前記仮ＩＤを表示し、前記認証サーバから受信した前記クッキーを記録しておき、前記認証サーバに対してリクエストと共に、前記記録している前記クッキーを送信することを特徴とする。
【００１３】
さらに、本発明の認証方法は、有効期限を含む前記端末認証情報を作成することを特徴とする。
【発明の効果】
【００１４】
本発明の認証システムおよび認証方法においては、認証サーバは、端末装置からリクエストを受信すると、固有のシリアルＩＤと固有の仮ＩＤとを生成してシリアルＩＤと仮ＩＤとを含む仮登録情報を作成し、作成した仮登録情報を記録しておくと共に、シリアルＩＤを記録したクッキーと仮ＩＤとを端末装置に送信し、さらに、仮ＩＤを含む決済情報を受信すると、受信した決済情報に含まれる仮ＩＤに対応するシリアルＩＤを仮登録情報に基づいて特定し、特定したシリアルＩＤを含む端末認証情報を作成して記録し、端末装置は、認証サーバから受信した仮ＩＤを表示し、認証サーバから受信したクッキーを記録しておき、認証サーバに対してリクエストと共に、記録しているクッキーを送信するように構成することにより、端末装置から認証サーバにアクセスすることで表示される仮ＩＤを用いて、コンビニエンスストア等に設置された店頭端末によって決済し、店頭端末から認証サーバに仮ＩＤを含む決済情報を送信することで、端末装置の認証を簡単に行うことができるため、操作キーの少ない端末装置から住所や、電話番号、カード番号等の個人情報を入力することなく、端末装置の認証を行うことができ、端末装置の認証に必要な操作を大幅に簡略化することができるという効果を奏する。
【００１５】
さらに、本発明の認証システムおよび認証方法においては、認証サーバは、リクエストを端末装置から受信すると、リクエストにシリアルＩＤがクッキーとして付加されているか否かを判断し、リクエストにシリアルＩＤが付加されていない場合に、端末装置に対して仮ＩＤとシリアルＩＤとの割り当てを行うリダイレクト先を指定する応答を端末装置に送信するように構成することにより、認証の有無に拘わらず端末装置から同一アドレスにアクセスすることができ、端末装置の操作を大幅に簡略化することができるという効果を奏する。
【００１６】
さらに、本発明の認証システムおよび認証方法においては、認証サーバは、有効期限を含む端末認証情報を作成するように構成することにより、端末装置に記録するクッキーが消去されてしまい、認証ができなくなってしまうリスクを低減させることができるという効果を奏する。
【発明を実施するための最良の形態】
【００１７】
以下、本発明の実施の形態を図面に基づいて詳細に説明する。
【００１８】
図１は、本発明に係る認証システムの実施の形態の構成を示すブロック図であり、図２は、図１に示す情報記録部に記録される仮登録情報例および端末認証情報例を示す図であり、図３は、図１に示す端末装置の構成を示すブロック図である。
【００１９】
本実施の形態の認証システムは、図１を参照すると、インターネット等のネットワーク１０を経由してコンテンツを配信するコンテンツサーバ２０と、コンテンツサーバ２０へのアクセスを認証する認証サーバ３０と、ネットワーク１０を経由してコンテンツを受信する端末装置４０と、コード化情報を読み取るリーダ５１を備えた店頭端末５０とで構成される。なお、本実施の形態では、機能的にコンテンツサーバ２０と、認証サーバ３０とに分けて説明するが、コンテンツサーバ２０および認証サーバ３０は、プログラム制御によって動作する１以上の情報処理装置からなるサーバシステムとして実現することができ、各サーバを異なる事業者によって管理するようにしても良く、各サーバの２以上を同一の事業者によって管理するようにしても良い。
【００２０】
コンテンツサーバ２０は、端末装置４０からのリクエストに応答するＷｅｂサーバとしての機能を有し、「音声データ」、「画像データ」、「映像データ」等のコンテンツが記録されているＨＤＤ等の記録手段を備え、端末装置４０からコンテンツリクエストを受信すると、記録しているコンテンツをネットワーク１０経由で端末装置４０に送信する。
【００２１】
認証サーバ３０は、端末装置４０からの各種リクエストに応答するＷｅｂサーバとしての機能を有し、図２を参照すると、情報記録部３１と、リクエスト応答部３２と、仮登録情報作成部３３と、符号化処理部３４と、機器登録部３５と、送受信部３６とを備えている。なお、リクエスト応答部３２、仮登録情報作成部３３、機器登録部３５には、異なるＵＲＬ等のネットワークアドレス、リクエスト応答部３２には受付を行う受付用アドレス、仮登録情報作成部３３にはデバイスＩＤを受信する仮登録用アドレス、機器登録部３５には店頭端末５０からの決済情報を受信するための決済用アドレスがそれぞれ割り当てられており、端末装置４０および店頭端末５０からのリクエストは、送受信部３６によってリクエスト応答部３２、仮登録情報作成部３３もしくは機器登録部３５に割り振られることになる。
【００２２】
情報記録部３１は、仮登録情報と、認証情報とが記録されるＨＤＤ等の記録手段である。仮登録情報は、図２（ａ）を参照すると、端末装置４０の認証を行う際に作成される一時ファイルであり、仮登録情報作成部３３によって生成される仮ＩＤおよびシリアルＩＤと、仮ＩＤの生成日時とからなり、端末装置４０の認証時もしくは予め定められた所定時間後に削除される。また、端末認証情報は、端末装置４０の認証時に作成されるファイルであり、図２（ｂ）を参照すると、仮登録情報作成部３３によって生成されたシリアルＩＤと、決済日時と、有効期限とからなる。なお、仮登録情報作成部３３によって生成されるシリアルＩＤおよび仮ＩＤは、同時に同一のシリアルＩＤおよび仮ＩＤが存在しないように構成されている。
【００２３】
リクエスト応答部３２は、受付用アドレスに対する端末装置４０からのリクエスト（例えば、ＧＥＴ要求）を受信すると、リクエストにシリアルＩＤが付加されているか否かを判断する。なお、シリアルＩＤは、クッキー（Cookie）として送られてくる。リクエストにシリアルＩＤがクッキー（Cookie）として付加されている場合には、リクエスト応答部３２は、付加されているシリアルＩＤに基づいて情報記録部３１に端末認証情報が登録されているか否かを判断し、端末認証情報が登録されていると、端末装置４０が認証されている判断し、コンテンツサーバ２０に記録されたコンテンツを配信するための配信用ホームページ、送受信部３６を用いてネットワーク１０経由で端末装置４０に送信する。また、リクエスト応答部３２は、リクエストにシリアルＩＤが付加されていない場合には、仮登録用アドレスを指定するRedirect応答（例えば、３０７応答）を、送受信部３６を用いてネットワーク１０経由で端末装置４０に送信する。
【００２４】
仮登録情報作成部３３は、仮登録用アドレスに対する端末装置４０からのリクエスト（例えば、ＧＥＴ要求）を受信すると、固有のシリアルＩＤと、固有の仮ＩＤとを生成し、シリアルＩＤと、仮ＩＤと、シリアルＩＤおよび仮ＩＤの生成日時とからなる仮登録情報を情報記録部３１に記録させると共に、生成した仮ＩＤと、シリアルＩＤが記録されたクッキー（Cookie）とを符号化処理部３４に出力する。
【００２５】
符号化処理部３４は、仮登録情報作成部３３で生成された仮ＩＤおよびクッキー（Cookie）が入力されると、入力された仮ＩＤをバーコードに符号化すると共に、仮ＩＤが符号化されたバーコードとクッキー（Cookie）を、送受信部３６を用いてネットワーク１０経由で端末装置４０に送信する。なお、本実施の形態では、仮ＩＤを符号化するコード化情報としてバーコードに符号化するように構成したが、店頭端末５０が備えているリーダ５１によって読み取ることができるコード化情報であれば、２次元コード等の他のコード化情報に符号化するようにしても良い。
【００２６】
機器登録部３５は、仮ＩＤを含む決済情報を店頭端末５０から受信すると、仮ＩＤに基づいて情報記録部３１に記録されている仮登録情報を参照することで、仮ＩＤに対応するシリアルＩＤを特定し、シリアルＩＤと、決済日時と、有効期限とからなる端末認証情報を作成し、作成した端末認証情報を情報記録部３１に記録させると共に、仮登録情報を削除する。なお、決済日時としては、決済情報に店頭端末５０によって決済された日時が含まれている場合には、店頭端末５０によって決済された日時が設定され、決済情報に店頭端末５０によって決済された日時が含まれていない場合には、店頭端末５０から決済情報を受信した日時が設定される。また、有効期限としては、決済日時から予め定められた期間経過した日時が設定され、時間や日にち単位で設定される。
【００２７】
送受信部３６は、有線もしくは無線でネットワーク１０に接続する機能を有し、ＨＴＴＰ（Hypertext Transfer Protocol）やＦＴＰ（File Transfer Protocol）等のプロトコルに基づいてネットワーク１０を介して端末装置４０と情報通信を行う。
【００２８】
端末装置４０は、図３を参照すると、固有のデバイスＩＤを有し、コンテンツ（音声データ、画像データ、映像データ）を再生するオーディオプレーヤ等のプログラム制御によって動作する携帯型の情報処理装置であり、送受信部４１と、情報記録部４２と、液晶ディスプレイ等の表示部４３と、操作部４４と、再生処理部４５と、データ管理部４６とを備えている。
【００２９】
送受信部４１は、有線もしくは無線でネットワーク１０に接続する機能を有し、ＨＴＴＰやＦＴＰ等のプロトコルに基づいてコンテンツサーバ２０および認証サーバ３０と情報通信を行う。
【００３０】
情報記録部４２は、ＨＤＤやシリコンメモリ等の記録手段であり、認証サーバ３０のリクエスト応答部３２に割り当てられている受付用アドレスが記録されているネットワークアドレス記録部４２１と、認証サーバ３０から受信したクッキー（Cookie）が記録されるクッキー記録部４２２と、受信したコンテンツが記録されるコンテンツ記録部４２３とからなる。
【００３１】
表示部４３は、液晶ディスプレイ等の表示手段であり、認証サーバ３０からネットワーク１０経由で受信したバーコードを表示すると共に、コンテンツ記録部４２３に記録されたコンテンツに基づいて再生処理部４５によって再生された画像および映像を表示する。
【００３２】
操作部４４は、操作ボタン等の操作手段であり、認証サーバ３０へのアクセスを指示する認証指示入力およびコンテンツ取得入力を受け付けると共に、受信して記録したコンテンツの再生に係る各種入力を受け付ける。
【００３３】
再生処理部４５は、情報記録部４２のコンテンツ記録部４２３に記録されたコンテンツを伸長して再生し、画像および映像は、表示部４３に表示させ、音声は、接続されたヘッドフォン４７に出力する。
【００３４】
データ管理部４６は、認証以前において、操作部４４からアクセス指示入力が入力されると、情報記録部４２のネットワークアドレス記録部４２１に記録されている受付用アドレスに対するリクエスト（例えば、ＧＥＴ要求）を、送受信部４１を用いてネットワーク１０経由で認証サーバ３０に送信する。また、データ管理部４６は、仮ＩＤを認証サーバ３０から受信すると、受信した仮ＩＤをバーコードとして表示部４３に表示させると共に、シリアルＩＤが記録されたクッキー（Cookie）を受信すると、受信したクッキー（Cookie）を情報記録部４２のクッキー記録部４２２に記録させる。
【００３５】
データ管理部４６は、認証後において、操作部４４からアクセス指示入力が入力されると、情報記録部４２のネットワークアドレス記録部４２１に記録されている受付用アドレスに対するリクエスト（例えば、ＧＥＴ要求）と共に、クッキー記録部４２２に記録された、シリアルＩＤが記録されているクッキー（Cookie）を、送受信部４１を用いてネットワーク１０経由で認証サーバ３０に送信する。
【００３６】
店頭端末５０は、コンビニエンスストア等の店舗に設置され、コンテンツサーバ２０に記録されたコンテンツの配信を受けるための決済を行うレジスタ等の端末装置であり、端末装置４０の表示部４３に表示されたバーコード（仮ＩＤ）を読み取るリーダ５１を備え、リーダ５１によって読み取った仮ＩＤを含む決済情報を、ネットワーク１０経由で認証サーバ３０の決済用アドレス宛に送信する機能を有する。
【００３７】
次に、本実施の形態の動作について図４乃至図６を参照して詳細に説明する。
図４は、本発明に係る認証システムの実施の形態における端末登録動作を説明するためのフローチャートであり、図５は、図１に示す認証サーバから端末装置への端末登録動作を説明するための説明図であり、図６は、本発明に係る認証システムの実施の形態における端末登録後の動作を説明するためのフローチャートである。
【００３８】
まず、認証サーバ３０による端末装置４０の認証動作について図４および図５を参照して詳細に説明する。
ユーザによって、端末装置４０の操作部４４から認証サーバ３０へのアクセスを指示するアクセス指示入力が行われると（ステップＡ１）、データ管理部４６は、情報記録部４２のネットワークアドレス記録部４２１に記録されている受付用アドレスに対するリクエスト（例えば、ＧＥＴ要求）を、送受信部４１を用いてネットワーク１０経由で認証サーバ３０に送信する（ステップＡ２）。
【００３９】
認証サーバ３０の送受信部３６は、受付用アドレスに対する端末装置４０からのリクエストをリクエスト応答部３２に割り振り、リクエスト応答部３２は、クッキー（Cookie）としてシリアルＩＤが付加されているか否かを判断する（ステップＡ３）。認証サーバ３０による端末装置４０の認証が行われる以前では、シリアルＩＤが付加されていないため、シリアルＩＤが付加されていないと判断される。シリアルＩＤが付加されていないと判断した場合には、仮登録用アドレスを指定するRedirect応答（例えば、３０７応答）を、送受信部３６を用いてネットワーク１０経由で端末装置４０に送信する（ステップＡ４）。
【００４０】
端末装置４０のデータ管理部４６は、は、仮登録用アドレスを指定するRedirect応答を認証サーバ３０から受信すると、仮登録用アドレスに対するリクエスト（例えば、ＧＥＴ要求）を、送受信部４１を用いてネットワーク１０経由で認証サーバ３０に送信する（ステップＡ５）。
【００４１】
認証サーバ３０の送受信部３６は、仮登録用アドレスに対する端末装置４０からのリクエストを仮登録情報作成部３３に割り振り、仮登録用アドレスに対する端末装置４０からのリクエスト（例えば、ＧＥＴ要求）を受信すると、固有のシリアルＩＤと、固有の仮ＩＤとを生成し（ステップＡ６、Ａ７）、シリアルＩＤと、仮ＩＤと、シリアルＩＤおよび仮ＩＤの生成日時とからなる仮登録情報を情報記録部３１に記録させると共に（ステップＡ８）、生成した仮ＩＤと、シリアルＩＤが記録されたクッキー（Cookie）とを符号化処理部３４に出力する。
【００４２】
符号化処理部３４は、仮登録情報作成部３３で生成された仮ＩＤおよびクッキー（Cookie）が入力されると、入力された仮ＩＤをバーコードに符号化すると共に、仮ＩＤが符号化されたバーコードとシリアルＩＤが記録されたクッキー（Cookie）を、図５に示すように、送受信部３６を用いてネットワーク１０経由で端末装置４０に送信する（ステップＡ９、Ａ１０）。
【００４３】
端末装置４０のデータ管理部４６は、認証サーバ３０から仮ＩＤと、シリアルＩＤが記録されたクッキー（Cookie）とを受信すると、受信した仮ＩＤを表示部４３に表示させると共に（ステップＡ１１）、受信したクッキー（Cookie）を情報記録部４２のクッキー記録部４２２に記録させる（ステップＡ１２）。
【００４４】
次に、ユーザは、端末装置４０を店頭端末５０に持って行き、コンテンツ配信の申込を行う。店頭端末５０の操作者は、店頭端末５０のリーダ５１によって、端末装置４０の表示部４３に表示されたバーコードを読み取ることで、図５に示すように、仮ＩＤを店頭端末５０に取り込み（ステップＡ１３）、利用料の入金を確認すると、図示しない受領確認キーを操作する。受領確認キーが操作されると、店頭端末５０は、リーダ５１によって読み取った仮ＩＤを含む決済情報を、ネットワーク１０経由で認証サーバ３０の決済用アドレス宛に送信する（ステップＡ１４）。決済情報としては、決済が行われた日時、決済金額等が考えられる。なお、仮ＩＤを端末装置４０への取り込みは、ユーザもしくは操作者がテンキー等の入力手段を利用して直接入力するようにしても良い。
【００４５】
認証サーバ３０の送受信部３６は、決済用アドレスに対する端末装置４０からの決済情報を機器登録部３５に割り振り、機器登録部３５は、仮ＩＤを含む決済情報を店頭端末５０から受信すると、仮ＩＤに基づいて情報記録部３１に記録されている仮登録情報を参照することで、仮ＩＤに対応するシリアルＩＤを特定し、シリアルＩＤと、決済日時と、有効期限とからなる端末認証情報を作成し、作成した端末認証情報を情報記録部３１に記録させると共に、仮登録情報を削除する決済処理を行う（ステップＡ１５）。これにより、情報記録部３１に端末認証情報が登録され、端末装置４０の認証が行われたことになる。
【００４６】
次に、端末装置４０の認証後、すなわち端末認証情報が作成された後のコンテンツ配信動作について図６を参照して詳細に説明する。
ユーザによって、端末装置４０の操作部４４から認証サーバ３０へのアクセスを指示するアクセス指示入力が行われると（ステップＢ１）、データ管理部４６は、情報記録部４２のネットワークアドレス記録部４２１に記録されている受付用アドレスに対するリクエスト（例えば、ＧＥＴ要求）と共に、クッキー記録部４２２に記録された、シリアルＩＤが記録されているクッキー（Cookie）を、送受信部４１を用いてネットワーク１０経由で認証サーバ３０に送信する（ステップＢ２）。
【００４７】
認証サーバ３０の送受信部３６は、受付用アドレスに対する端末装置４０からのリクエストをリクエスト応答部３２に割り振り、リクエスト応答部３２は、付加されているシリアルＩＤに基づいて情報記録部３１に端末認証情報が登録されているか否かを判断し（ステップＢ３）、端末認証情報が登録されている場合には、端末認証情報が有効期限内か否かを判断し、有効期限内である場合には、コンテンツサーバ２０に記録されたコンテンツを配信するための配信用ホームページを、送受信部３６を用いてネットワーク１０経由で端末装置４０に送信する（ステップＢ４）。また、端末認証情報が登録されていない場合には、リクエスト応答部３２は、店頭端末５０を用いた決済を促す案内ページを、送受信部３６を用いてネットワーク１０経由で端末装置４０に送信する。さらに、端末認証情報が有効期限を過ぎている場合には、有効期限が過ぎていることを通知する案内ページを、送受信部３６を用いてネットワーク１０経由で端末装置４０に送信する。
【００４８】
なお、本実施の形態では、認証サーバ３０は、店頭端末５０からの決済情報に基づいて決済処理を行うように構成したが、携帯電話を用いて決済を行い、携帯電話に対する課金を管理する決済管理サーバから認証サーバに決済情報が送信されるように構成することもできる。すなわち、携帯電話から決済管理サーバに仮ＩＤを含む決済指示を送信することで、認証サーバが決済を行い、決済管理サーバから認証サーバに仮ＩＤを含む決済情報を送信する。当該方法によると、携帯電話に対する課金を管理する決済管理サーバを用いるため、ユーザを特定することが可能になる。
【００４９】
以上説明したように、本実施の形態によれば、認証サーバ３０の仮登録情報作成部３３は、端末装置４０からリクエストを受信すると、固有のシリアルＩＤと固有の仮ＩＤとを生成してシリアルＩＤと仮ＩＤとを含む仮登録情報を作成し、作成した仮登録情報を情報記録部３１に記録しておくと共に、シリアルＩＤを記録したクッキーと仮ＩＤとを端末装置４０に送信し、さらに、機器登録部３５は、仮ＩＤを含む決済情報を受信すると、受信した決済情報に含まれる仮ＩＤに対応するシリアルＩＤを仮登録情報に基づいて特定し、特定したシリアルＩＤを含む端末認証情報を作成して情報記録部３１に記録し、端末装置４０は、認証サーバ３０から受信した仮ＩＤを表示部４３に表示し、認証サーバ３０から受信したクッキーをクッキー記録部４２２に記録しておき、認証サーバ３０に対してリクエストと共に、クッキー記録部４２２に記録しているクッキーを送信するように構成することにより、端末装置４０から認証サーバ３０にアクセスすることで表示される仮ＩＤを用いて、コンビニエンスストア等に設置された店頭端末５０によって決済し、店頭端末５０から認証サーバ３０に仮ＩＤを含む決済情報を送信することで、端末装置４０の認証を簡単に行うことができるため、操作キーの少ない端末装置４０から住所や、電話番号、カード番号等の個人情報を入力することなく、端末装置４０の認証を行うことができ、端末装置４０の認証に必要な操作を大幅に簡略化することができるという効果を奏する。
【００５０】
さらに、本実施の形態によれば、認証サーバ３０のリクエスト応答部３２は、リクエストを端末装置４０から受信すると、リクエストにシリアルＩＤがクッキーとして付加されているか否かを判断し、リクエストにシリアルＩＤが付加されていない場合に、端末装置４０に対して仮ＩＤとシリアルＩＤとの割り当てを行うリダイレクト先を指定する応答を端末装置４０に送信するように構成することにより、認証の有無に拘わらず端末装置４０から同一アドレスにアクセスすることができ、端末装置４０の操作を大幅に簡略化することができるという効果を奏する。
【００５１】
さらに、本実施の形態によれば、認証サーバ３０の機器登録部３５は、有効期限を含む端末認証情報を作成するように構成することにより、端末装置４０のクッキー記録部４２２に記録するクッキーが消去されてしまい、認証ができなくなってしまうリスクを低減させることができるという効果を奏する。
【００５２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５３】
【図１】本発明に係る認証システムの実施の形態の構成を示すブロック図である。
【図２】図１に示す情報記録部に記録される仮登録情報例および端末認証情報例を示す図である。
【図３】図１に示す端末装置の構成を示すブロック図である。
【図４】本発明に係る認証システムの第１の実施の形態における端末登録動作を説明するためのフローチャートである。
【図５】図１に示す認証サーバから端末装置への端末登録動作を説明するための説明図である。
【図６】本発明に係る認証システムの第１の実施の形態における端末登録後の動作を説明するためのフローチャートである。
【符号の説明】
【００５４】
１０  ネットワーク
２０  コンテンツサーバ
３０  認証サーバ
３１  情報記録部
３２  リクエスト応答部
３３  仮登録情報作成部
３４  符号化処理部
３５  機器登録部
３６  送受信部
４０  端末装置
４１  送受信部
４２  情報記録部
４３  表示部
４４  操作部
４５  再生処理部
４６  データ管理部
５０  店頭端末
４２１  ネットワークアドレス記録部
４２２  クッキー記録部
４２３  コンテンツ記録部
【図１】
2008027113.tif 000003
【図２】
2008027113.tif 000004
【図３】
2008027113.tif 000005
【図４】
2008027113.tif 000006
【図５】
2008027113.tif 000007
【図６】
2008027113.tif 000008